(57)【要約】【課題】加湿量の低下を抑制しつつ、排水による水飛び、白粉の発生を抑制する。【解決手段】加湿体２０と、下面に排水口１３ａが形成され、加湿体２０を収納するケーシング１０と、排水口１３ａの周辺に設けられ、排水口１３ａから排出される水をドレンパン凹部７ａに導くリブ１４と、を備えた。【選択図】図９
2014231968.tif 000002
【特許請求の範囲】
【請求項１】
凹部が形成されたドレンパンに設置される加湿エレメントであって、
加湿体と、
下面に排水口が形成され、前記加湿体を収納するケーシングと、
前記排水口の周辺に設けられ、前記排水口から排出される水を前記ドレンパンの凹部に導く排水部材と、を備えた
ことを特徴とする加湿エレメント。
【請求項２】
前記排水部材は、
凸形状のリブである
ことを特徴とする請求項１に記載の加湿エレメント。
【請求項３】
前記ドレンパンに設置された状態において、
前記リブの外周と前記ドレンパンの凹部の内周とが接触し、前記リブの両側の稜角部が前記ドレンパンの凹部内で位置決めされ、前記リブが前記ドレンパンの凹部に嵌合する
ことを特徴とする請求項２に記載の加湿エレメント。
【請求項４】
前記ケーシングは、
前記リブの一部を構成する第１リブを有する第１ケーシングと、
前記リブの一部を構成する第２リブを有する第２ケーシングと、を有し、
前記第１ケーシングと前記第２ケーシングとを組み合わせることで、前記第１リブと前記第２リブとが組み合わされ、前記排水口の縁全周に亘って前記リブが形成される
ことを特徴とする請求項２又は請求項３に記載の加湿エレメント。
【請求項５】
前記リブは、
合わせ面が、かみ合わせ構造又は密着構造となっている
ことを特徴とする請求項４に記載の加湿エレメント。
【請求項６】
前記リブは、
該リブの先端部の面積が該リブの根元部の面積よりも小さく形成されたノズル形状の部材である
ことを特徴とする請求項２〜請求項５の何れか一項に記載の加湿エレメント。
【請求項７】
前記排水部材は、
凹形状の溝である
ことを特徴とする請求項１に記載の加湿エレメント。
【請求項８】
前記ケーシングは、
前記溝の一部を構成する第１溝を有する第１ケーシングと、
前記溝の一部を構成する第２溝を有する第２ケーシングと、を有し、
前記第１ケーシングと前記第２ケーシングとを組み合わせることで、前記第１溝と前記第２溝とが組み合わされ、前記溝が形成される
ことを特徴とする請求項７に記載の加湿エレメント。
【請求項９】
請求項１〜請求項８の何れか一項に記載の加湿エレメントと、
前記加湿エレメントに加湿用の水を給水する給水系と、
前記加湿エレメントで加湿されずに残った水を外部に排出する排水系と、
前記加湿エレメントに空気流を通過させる送風機と、
前記送風機及び前記給水系の給水弁を制御する制御装置と、
前記加湿エレメントが設置される面に凹部を有するドレンパンと、を備えた、
加湿装置。
【発明の詳細な説明】
【技術分野】
【０００１】
本発明は、加湿エレメント及び加湿装置に関する。
【背景技術】
【０００２】
従来、加湿雰囲気の空気を生成する加湿器には、自然蒸発式、電熱式、水スプレー式、超音波式などのものがある。ただし、自然蒸発式のものは加湿能力が小さく、電熱式のものはランニングコストが嵩み、水スプレー式のものは加湿効率が低くて装置が大型になりやすい。また、超音波式のものは、イニシャルコストが高いにもかかわらず、寿命は短く、その上、水中の雑菌や炭酸カルシウムの微粉末が飛散しやすい。
【０００３】
こうした中で自然蒸発式加湿器は、ランニングコストが小額で済むことから特に長時間運転される場所で使用されており、その問題点である加湿能力についても改善が進んでいる。自然蒸発式加湿器にも様々な形式があり、それぞれに利点、欠点が存在する。これらの中で特に加湿能力が高く、長時間の使用に適う加湿方式としては「滴下式」、「流下式」のものがあり、これらの形式は特に空気調和機など業務用の加湿装置に使用されている（例えば、特許文献１参照）。特許文献１の加湿器は、排水による水飛び、白粉の発生を抑制するため、加湿エレメントの下部とドレンパンとの間に、空気流を遮蔽する部材を取り付けている。また、特許文献１に記載の加湿器は、加湿体をケーシングに納めずに下部空間を開放しながら、開放された空間内を通過する空気流を遮断するように排水部を設けている。
【先行技術文献】
【特許文献】
【０００４】
【特許文献１】特開平５−３０６８２５号公報（［００１４］、図１）
【発明の概要】
【発明が解決しようとする課題】
【０００５】
しかしながら、特許文献１の加湿器は、加湿材の下部が開放されているため、下部の加湿体間を流れる空気流が、流動抵抗の少ないドレンパン方向に漏れ出すため、加湿量が減少する。また、排出された水がドレンパン上を流れると、水中のスケール成分が析出し、ドレンパン上に白粉が発生し、開放されたドレンパンの上部から、後流へ白粉が飛散する可能性がある。
【０００６】
本発明は、上述のような課題を解決するためになされたものであり、加湿量の低下を抑制しつつ、排水による水飛び、白粉の発生を抑制することを目的とする。
【課題を解決するための手段】
【０００７】
本発明の加湿エレメントは、凹部が形成されたドレンパンに設置される加湿エレメントであって、加湿体と、下面に排水口が形成され、前記加湿体を収納するケーシングと、前記排水口の周辺に設けられ、前記排水口から排出される水を前記ドレンパンの凹部に導く排水部材と、を備えたものである。
【０００８】
本発明の加湿装置は、本発明の加湿エレメントと、前記加湿エレメントに加湿用の水を給水する給水系と、前記加湿エレメントで加湿されずに残った水を外部に排出する排水系と、前記加湿エレメントに空気流を通過させる送風機と、前記送風機及び前記給水系の給水弁を制御する制御装置と、前記加湿エレメントが設置される面に凹部を有するドレンパンとを備えたものである。
【発明の効果】
【０００９】
本発明によれば、加湿体と、下面に排水口が形成され、前記加湿体を収納するケーシングと、前記排水口の周辺に設けられ、前記排水口から排出される水をドレンパンの凹部に導く排水部材と、を備えた。このようにして、排水用の開口部の風路圧力損失が高くなり、排水口から漏れる空気量が減少するため、加湿体間を通過する風量が増加し、加湿量を増加させることができる。また、ケーシングの底面を伝って流れる排水経路をなくし、排水の乾燥空気への接触が抑制されるため、排水による水飛び、白粉の発生を抑制することができる。
【図面の簡単な説明】
【００１０】
【図１】実施の形態１に係る加湿装置１の構成図である。
【図２】実施の形態１に係る加湿装置１の加湿エレメント２の据付図である。
【図３】実施の形態１に係る加湿装置１の加湿エレメント２の斜視図である。
【図４】実施の形態１に係る加湿装置１の加湿エレメント２の正面図及び断面図である。
【図５】実施の形態１に係る加湿装置１の加湿エレメント２の分解斜視図である。
【図６】実施の形態１に係る加湿装置１の排水部１３の構造の斜視図である。
【図７】実施の形態１に係る加湿装置１の排水部１３の下面拡大図を示す第１の例である。
【図８】実施の形態１に係る加湿装置１の排水部１３の下面拡大図を示す第２の例である。
【図９】実施の形態１に係る加湿装置１の加湿エレメント２とドレンパン７の拡大断面図である。
【図１０】実施の形態１に係る加湿装置１の第１変形例である。
【図１１】実施の形態１に係る加湿装置１の第２変形例である。
【図１２】実施の形態１に係る加湿装置１の第３変形例である。
【図１３】実施の形態２に係る加湿装置１の加湿エレメント２とドレンパン７の拡大断面図である。
【図１４】比較例に係る加湿エレメント１０２とドレンパン１０７の拡大断面図である。
【図１５】比較例に係る加湿エレメント１０２とドレンパン１０７の拡大断面図である。
【図１６】比較例に係る加湿エレメント１０２とドレンパン１０７の拡大断面図である。
【発明を実施するための形態】
【００１１】
以下に、本発明にかかる加湿装置１の実施の形態を図面に基づいて詳細に説明する。なお、この実施の形態によりこの発明が限定されるものではない。
【００１２】
実施の形態１．
図１は実施の形態１に係る加湿装置１の構成図である。
図１に示されるように、加湿装置１は、加湿エレメント２と、給水系３と、排水系４と、送風機５と、制御装置６と、ドレンパン７とを備える。加湿エレメント２については、後述する図２を用いて説明する。なお、図１には、破線で信号線を示している。
【００１３】
給水系３は、水道設備等の給水源に接続され、加湿エレメント２に加湿用の水を送水するものである。給水系３は、加湿エレメント２に給水する水の圧力と流量を調整する給水弁３ａと、給水系３への塵の侵入を防ぐストレーナと（図示省略）、送水用の管とを含む水路として構成されている。
【００１４】
排水系４は、加湿エレメント２で加湿されずに残った水を外部に排出するものである。送風機５は、加湿エレメント２へ室内の空気を送り込み、加湿エレメント２に空気流を通過させ、再び室内へ吹出すための送風手段である。送風機５は、加湿エレメント２の前段（上流）又は後段（下流）に組込まれている。制御装置６は、送風機５及び給水系３の給水弁３ａの操作などを行う制御手段である。ドレンパン７は、排水系４から排出される水等を受容し外部に排水するものである。
【００１５】
図２は実施の形態１に係る加湿装置１の加湿エレメント２の据付図である。
図２に示されるように、加湿エレメント２は、ドレンパン７上に少なくとも１つ以上設けられる。各加湿エレメント２の天部構造の両側の稜角部は、仕切壁と本体箱体の正面側内壁面とに装架されたガイドレール（図示省略）等により抜き差し可能に保持されている。加湿エレメント２には給水系３が接続されている。また、ドレンパン７には排水系４が接続されている。なお、給水源側との接続部を除く給水系３の各接続部分は、ドレンパン７内に全て集約されていることが望ましい。
【００１６】
図３は実施の形態１に係る加湿装置１の加湿エレメント２の斜視図である。図４は実施の形態１に係る加湿装置１の加湿エレメント２の正面図及び断面図である。図３，図４に示されるように、加湿エレメント２は、ケーシング１０と、給水口１１と、多数並んだ多孔質材料からなる加湿体２０と、貯水部１２と、排水部１３と、リブ１４と、を備える。リブ１４については、後述する図６を用いて説明する。
【００１７】
ケーシング１０は、加湿エレメント２の外郭を構成する部材であり、例えば、ＡＢＳ樹脂、ＰＳ樹脂、ＰＰ樹脂等の熱可塑性のプラスチックによる射出成型等で形成される。ケーシング１０は、例えば、第１ケーシング１０ａ及び第２ケーシング１０ｂの２つの部品で構成される。給水口１１は、給水系３から給水される水を貯水部１２へ注入するための開口部である。加湿体２０は、ケーシング１０に内包されて固定されている。貯水部１２は、加湿体２０の上方に設けられ、加湿体２０に供給するための水を蓄える部位である。貯水部１２の下方には、拡散部材３０が設けられている。拡散部材３０は、貯水部１２に供給された水を加湿体２０に導くための部材である。
【００１８】
排水部１３は、加湿体２０の下方に設けられ、加湿体２０で加湿（蒸発）されずに残った水を受けて排水するための部位である。排水部１３には、排水口１３ａが形成され、傾斜部１０Ａが設けられている。傾斜部１０Ａは、排水部１３の外周側から排水口１３ａに向かって高さが低くなるように傾斜している。このように傾斜部１０Ａが設けられているため、加湿体２０を流れた水は、ケーシング１０内に滞留することなく、排水口１３ａに導かれ、排水口１３ａから排出される。排水口１３ａは、加湿体２０から滴下する水を、傾斜部１０Ａを通って、下方に流すための開口部である。なお、排水口１３ａは、加湿エレメント２からの空気漏れによる加湿量低下を防ぐため、排水が通過できる最小の開口面積とすることが望ましい。
【００１９】
図４に示されるように、水は、給水口１１から貯水部１２へ流入し、貯水部１２に溜まり、拡散部材３０に浸透し、加湿体２０に広がっていく。加湿体２０に広がった水は、加湿体２０同士の隙間を流れる空気を加湿し、過剰な水は、下部の排水部１３の排水口１３ａを通って流出する。なお、拡散部材３０を設けずに、貯水部１２から加湿体２０に直接給水する構造としてもよい。このように構成しても、給水口１１から給水した水を、加湿体２０に導くことができる。
【００２０】
図５は実施の形態１に係る加湿装置１の加湿エレメント２の分解斜視図である。図６は実施の形態１に係る加湿装置１の排水部１３の構造を示す斜視図である。
図５に示されるように、第１ケーシング１０ａには、貯水部１２の一部、排水部１３の一部、及び開口部２１の一部が設けられている。開口部２１は、加湿体２０に被加湿空気を導入するための開口であり、第２ケーシング１０ｂにも設けられている。図５には示されていないが、第２ケーシング１０ｂにも、第１ケーシング１０ａと同様に、貯水部１２の一部及び排水部１３の一部が設けられている。すなわち、第１ケーシング１０ａと第２ケーシング１０ｂとを組み合わせると、貯水部１２及び排水部１３が出来上がる。
【００２１】
また、第１ケーシング１０ａの排水部１３には、凸形状の第１リブ１４ａが設けられている。図５には示されていないが、第２ケーシング１０ｂにも、第１ケーシング１０ａと同様に、凸形状の第２リブ１４ｂが設けられている。
【００２２】
第１ケーシング１０ａ及び第２ケーシング１０ｂで加湿体２０を挟み込み、第１ケーシング１０ａ及び第２ケーシング１０ｂを組み合わせることで、第１ケーシング１０ａ及び第２ケーシング１０ｂを一体化したケーシング１０が構成される。一体化したケーシング１０が構成されることで、図６に示されるように、第１リブ１４ａと第２リブ１４ｂとが組み合わされ、排水口１３ａ全体を覆う矩形状のリブ１４が形成される。このため、リブ１４を単体の部品として製作する必要がなくなる。
【００２３】
図６に示されるように、排水部１３の底面の排水口１３ａの縁部全周には、リブ１４が設けられている。リブ１４は、ケーシング１０をドレンパン７に設置したときに、概ね鉛直方向下向きに凸となる形状を有している。このようにリブ１４が設けられるため、排水口１３ａから排出される水が、排水口底面１３ｂを伝って排水口底面１３ｂに回り込むことを抑制できる。
【００２４】
ところで、図１４に示されるように、リブ１４を設けないで加湿エレメント１０２を構成することも考えられる。しかしながら、排水口１１３ａから排出された水の一部は、排水口１１３ａの縁から加湿エレメント１０２の底面に回りこみ、加湿エレメント設置面１０７ｂを伝わっていく（排水伝播経路１１８）。加湿エレメント設置面７ｂを伝わった水は、加湿エレメント１０２の端部の壁や、隣接する加湿エレメント１０２との境界面などに生じた隙間から漏れ出る空気流に巻き上げられ、ドレンパン１０７上に広がる場合がある。また、ドレンパン１０７上に広がった排水は、気流に巻き上げられることで、水飛びが発生し、機外へ水漏れする場合がある。
【００２５】
また、図１４に示されるように加湿エレメント１０２を構成した場合、ドレンパン１０７上の排水の一部は、風路内の空気と触れて乾燥し、白粉として気流に乗り室内へ飛散する場合がある。さらに、加湿エレメント１０２は、排水性を良好にするために若干の勾配を確保した状態でドレンパン７に設置される場合があるが、想定外の誤った勾配で設置された場合には、排水口１１３ａから排出された水は、この勾配のため、ドレンパン１０７上をさらに広い範囲に亘って流れ、これらの問題を悪化させる場合がある。
【００２６】
また、加湿エレメント１０２は、供給水中のスケール分の付着等による経年劣化のため、定期的に交換することを要し、容易に取り外すことができる構造である必要がある。加湿エレメント１０２は、圧力損失を低減するため、一般的に空気流の流れ方向に対して短い形状をしていることが多い。このため、輸送振動、地震時、製造時及び保守点検等の場合、図１５に示されるように、加湿エレメント１０２は、空気流の流れ方向に対し、前後に傾斜した据付姿勢となることがある。この場合には、加湿体２０の内部の水が、ケーシング１１０の底面を伝って（排水伝播経路１１８）、ドレンパン１０７外に流れる流量割合が多くなり、白粉や水滴の飛散を悪化させる場合がある。
【００２７】
また、図１６に示されるように、排水口１１３ａから排出される排水をドレンパン凹部１０７ａ内に直接排水するため、加湿体１２０の下部全体を排水口１１３ａとして形成することも考えられる。しかしながら、排水口１１３ａを広く確保しても、加湿体１２０を受けとめる部分は存在する。すなわち、加湿体１２０とドレンパン７とが当接する部位を確保する必要がある。このため、図１６に示されるように、排水口１１３ａから排出された水が、加湿エレメント設置面１０７ｂの上からドレンパン１０７外に広がる場合がある（排水伝播経路１１８）。また、加湿体１２０の下部全体を排水口１１３ａとして形成した場合には、排水口１１３ａからドレンパン１０７外に漏れる空気量が増え、加湿量が低下する場合もある。
【００２８】
なお、リブ１４は、極力長く構成することが望ましい。これは、排水口１３ａから排出された水が、リブ１４を伝って排水口底面１３ｂに回り込むことを抑制し、排水口１３ａから漏れ出す空気の流動抵抗が増加して空気が漏れることを抑制するためである。ただし、リブ１４が長すぎると、リブ１４がドレンパン７に接触し、加湿エレメント２とドレンパン７との間に隙間が形成され、排水口１３ａから排出された空気が、この隙間からドレンパン７外に漏れる場合がある。このため、排水口底面１３ｂと加湿エレメント設置面７ｂとの間に隙間が形成されない程度に、リブ１４の長さを決定することが望ましい。また、排水口１３ａから排出された水が、リブ１４を伝って排水口底面１３ｂに回り込むことを抑制するため、リブ１４は、排水口１３ａの縁全周に配置することが望ましい。
【００２９】
図７は実施の形態１に係る加湿装置１の排水部１３の下面拡大図を示す第１の例である。図８は実施の形態１に係る加湿装置１の排水部１３の下面拡大図を示す第２の例である。
【００３０】
図７に示されるように、第１ケーシング１０ａの第１リブ１４ａ、及び第２ケーシング１０ｂの第２リブ１４ｂには、それぞれ端面１４Ａ、及び端面１４Ｂが形成されている。端面１４Ａ及び端面１４Ｂは、平面視した状態において、斜めに切り欠かれた形状となっている。また、端面１４Ａ及び端面１４Ｂは、第１ケーシング１０ａ及び第２ケーシング１０ｂを組み合わせたとき、端面１４Ａ及び端面１４Ｂが接触して互いに固定されて合わせ面１０ｃを形成し、ケーシング１０が構成されるような形状となっている。このため、端面１４Ａ、端面１４Ｂを斜めに切り欠かない形状とした場合と比べて、排水口１３ａから排出された水が、リブ１４を乗り越えにくくなる。したがって、排水口１３ａから排出された水が、排水口底面１３ｂに伝わることを抑制することができ、水がドレンパン７外に漏れることを抑制することができる。
【００３１】
なお、第１リブ１４ａの端面１４Ａ、及び第２リブ１４ｂの端面１４Ｂの形状は、図７に示されるような形状に限定されず、排水口１３ａから排出される水を排水口底面１３ｂへ伝播させないような形状であればよい。例えば図８に示されるように、第１ケーシング１０ａの第１リブ１４ａが、斜めの端面１４Ａを備え、第２ケーシング１０ｂの第２リブ１４ｂが、角を丸めた端面１４Ｂを備えるようにしてもよい。こうすれば、第１ケーシング１０ａ及び第２ケーシング１０ｂを密着させた状態で合わせ面１０ｃを形成することができる。したがって、図７のように合わせ面１０ｃを構成した場合と同様に、加湿エレメント２の底面への水漏れを抑制することができる。
【００３２】
図９は実施の形態１に係る加湿装置１の加湿エレメント２とドレンパン７の拡大断面図である。
図９に示されるように、ドレンパン凹部７ａは、加湿エレメント２が設置された状態で、加湿エレメント設置面７ｂに対してリブ１４を覆う凹形状となっている。リブ１４の外周及びドレンパン凹部７ａの内周は、ドレンパン７の接触面１７で一部が接触している。リブ１４の外周とドレンパン凹部７ａの内周とが接触することで、リブ１４の両側の稜角部がドレンパン凹部７ａ内で位置決めされ、リブ１４がドレンパン凹部７ａに嵌合する。リブ１４がドレンパン凹部７ａに嵌合することで、加湿エレメント２をドレンパン７に固定することができる。なお、排水口１３ａから排出される水が、ドレンパン凹部７ａ以外の経路へ回り込むことを抑制できれば、リブ１４の形状は、上述した例に限定されない。例えば、図１０〜図１２に示すように、リブ１４を構成してもよい。
【００３３】
図１０は実施の形態１に係る加湿装置１の第１変形例である。図１０は、リブ１４をＬ字型の形状としたものである。このように構成すれば、リブ１４の側面とドレンパン７の凹部との接触面積が大きい場合であっても、摩擦抵抗で加湿エレメント２の挿入性を良くすることができる。
【００３４】
図１１は実施の形態１に係る加湿装置１の第２変形例である。図１１は、リブ１４をノズル形状とした例である。具体的には、リブ１４は、リブ１４の先端部の面積がリブ１４の根元部の面積よりも小さく形成されたノズル形状の部材であり、先端が排水口１３ａの中央に向かう先細り形状のものである。このように構成すれば、空気の流動抵抗を高めることができる。したがって、ケーシング１０の排水口１３ａから排出される空気が、排水口底面１３ｂを通って漏れることを抑制することができる。また、リブ１４の根元での表面張力による水溜りを低減することができる。
【００３５】
図１２は実施の形態１に係る加湿装置１の第３変形例である。図１２は、ケーシング１０の排水口１３ａの縁部全周に亘って、発泡樹脂シートで構成される水切りシール材４０を貼り付けた例である。このように構成すれば、排水口１３ａから排出された水が、排水口底面１３ｂに回りこむことを抑制することができる。
【００３６】
以上のように、本実施の形態１に係る加湿エレメント２は、加湿体２０と、下面に排水口１３ａが形成され、加湿体２０を収納するケーシング１０と、排水口１３ａの周辺に設けられ、排水口１３ａから排出される水をドレンパン凹部７ａに導くリブ１４を有する。このため、排水口１３ａから排出された水が、加湿エレメント設置面７ｂに達することを抑制することができる。したがって、排水口１３ａから排出された水が、加湿エレメント設置面７ｂ上で乾き、スケール等で加湿エレメント２とドレンパン７とが固着し、その隙間から白粉が発生して室内へ飛ばされたり、加湿エレメント２の隙間から漏れた空気流によって水が飛ばされて機外へ流出して空調ダクト内へ溜まる、などの不具合を低減することができる。すなわち、ケーシング１０の底面を伝って流れる排水経路をなくし、排水の乾燥空気への接触が抑制されるため、排水による水飛び、白粉の発生を抑制することができる。また、排水口１３ａの流動抵抗増加によって排水口１３ａからの空気漏れを軽減し、加湿量を増加させることができる。
【００３７】
また、ケーシング１０に凸形状のリブ１４が設けられ、ドレンパン７に凹形状のドレンパン凹部７ａが設けられ、リブ１４の外周とドレンパン凹部７ａの内周とが接触し、リブ１４の両側の稜角部が、ドレンパン凹部７ａ内で位置決めされ、リブ１４がドレンパン凹部７ａに嵌合する。このため、水が、ドレンパン凹部７ａ外に漏れ出すことを抑制し、加湿エレメント２の据付姿勢を固定（製造時、運搬時、保守点検時）することができる。
【００３８】
実施の形態２．
図１３は実施の形態２に係る加湿装置１の加湿エレメント２とドレンパン７の拡大断面図である。実施の形態２では、実施の形態１のように、凸形状のリブ１４を設けず、凹形状の溝１５を設けた例について説明する。実施の形態２では、実施の形態１との相違点を中心に説明し、同一の構成については同一の符号を付して説明を省略する。
【００３９】
図１３に示されるように、排水口１３ａの縁部全周には、溝１５が設けられている。溝１５は、ケーシング１０が加湿体２０を覆った状態で、ケーシング１０の底面から加湿体２０側に向かって凹形状となっている溝１５である。溝１５は、排水口１３ａの周辺に設けられ、排水口１３ａから排出される水をドレンパン凹部７ａに導くように働く。溝１５は、排水口１３ａから排出される水を、上方に導かずに下方に案内するため、側方に伝播することがなくなる。したがって、排水口１３ａから排出される水が、加湿エレメント設置面７ｂを流れ、ドレンパン７外へ漏れることを抑制することができる。
【００４０】
第１ケーシング１０ａには、溝１５の一部を構成する第１溝（図示省略）が形成されている。第２ケーシング１０ｂには、溝１５の一部を構成する第２溝（図示省略）が形成されている。第１ケーシング１０ａと、第２ケーシング１０ｂとを組み合わせ、一体化したケーシング１０が構成されることで、第１ケーシング１０ａの第１溝と第２ケーシング１０ｂの第２溝とが組み合わされ、溝１５が形成される。
【００４１】
なお、溝１５は、加湿体２０から排出される水の回り込みを抑制するため、極力深くなるように形成することが望ましい。ただし、溝１５の凹部が深すぎると、第１ケーシング１０ａ，第２ケーシング１０ｂの肉厚が薄くなって、強度不足で破損する可能性がある。このため、例えば、第１ケーシング１０ａ，第２ケーシング１０ｂの板厚の半分程度までを限度に、溝１５の凹部の深さを決定することが望ましい。
【００４２】
また、加湿体２０の底面と溝１５の接続面とがなす角度は、水が回りこまないよう、概ね９０°以下となるように構成することが望ましい。これは、上述した角度が鈍角であったり、曲率を取っていたりすると、溝１５を形成したにもかかわらず、水が伝播する可能性があるからである。
【００４３】
以上のように、実施の形態２に係る加湿エレメント２は、ケーシング１０の下方に形成された溝１５を有する。このため、排水口１３ａから排出された水が、排水口底面１３ｂへ伝わるのを抑制することができる。また、加湿エレメント２の底面は平坦であるため、実施の形態１の効果に加えて加湿エレメント２を製品以外の部分へ置くときに、安定した状態で、底面を下にして置くことができる。
【００４４】
また、実施の形態２に係る加湿エレメント２は、実施の形態１に係る加湿エレメント２よりも、ケーシング１０を形成するために必要な樹脂量を削減でき、省資源化を図ることができる。
【００４５】
また、例えば、上述したような、第１ケーシング１０ａ及び第２ケーシング１０ｂを組み合わせるような場合であっても、組立加工を容易にすることができる。具体的には、実施の形態１のように、ケーシング１０にリブ１４を設けた場合には、その端部を重ね合わせるための工夫を要する。これに対して、実施の形態２のように、ケーシング１０に溝１５を設けた場合には、その幅が十分広く取られていれば若干の組み立てばらつきによる溝の位置ずれは許容できるため、位置合わせ等が不要で、組み立て加工が容易となる。
【００４６】
なお、リブ１４及び溝１５が、本発明の排水部材に相当する。
【符号の説明】
【００４７】
１  加湿装置、２  加湿エレメント、３  給水系、３ａ  給水弁、４  排水系、５  送風機、６  制御装置、７  ドレンパン、７ａ  ドレンパン凹部、７ｂ  加湿エレメント設置面、１０  ケーシング、１０ａ  第１ケーシング、１０ｂ  第２ケーシング、１０ｃ  合わせ面、１０Ａ  傾斜部、１１  給水口、１２  貯水部、１３  排水部、１３ａ  排水口、１３ｂ  排水口底面、１４  リブ、１４ａ  第１リブ、１４ｂ  第２リブ、１４Ａ，１４Ｂ  端面、１５  溝、１７  接触面、２０  加湿体、２１  開口部、３０  拡散部材、４０  水切りシール材、１０２  加湿エレメント、１０７  ドレンパン、１０７ａ  ドレンパン凹部、１０７ｂ  加湿エレメント設置面、１１０  ケーシング、１１３ａ  排水口、１１８  排水伝播経路、１２０  加湿体。
【図１】
2014231968.tif 000003
【図２】
2014231968.tif 000004
【図３】
2014231968.tif 000005
【図４】
2014231968.tif 000006
【図５】
2014231968.tif 000007
【図６】
2014231968.tif 000008
【図７】
2014231968.tif 000009
【図８】
2014231968.tif 000010
【図９】
2014231968.tif 000011
【図１０】
2014231968.tif 000012
【図１１】
2014231968.tif 000013
【図１２】
2014231968.tif 000014
【図１３】
2014231968.tif 000015
【図１４】
2014231968.tif 000016
【図１５】
2014231968.tif 000017
【図１６】
2014231968.tif 000018